(57)【特許請求の範囲】
【請求項１】
自動車の車体の側面に設けられたミラーベースに回動自在に取り付けられるアウターミラーにおいて、
アウターミラーを回動させる電動格納ユニットと、ミラー部を傾動させるアクチュエータと、前記電動格納ユニットと前記アクチュエータとを支持するミラーハウジングと、当該ミラーハウジングの前面を覆うカバー部材とを備え、
前記ミラーハウジングの前面に、前記電動格納ユニットを収容するための上部が開口した筒状部を前記ミラーハウジングと一体に設け、
前記ミラーハウジングにおける前記アクチュエータの固定部分に、前方に突出する箱状部を前記筒状部と隣接して設け、
前記箱状部は、前記アクチュエータの収容部分を確保するための収容用箱状部と、収容用箱状部の前側面に形成された補強用箱状部とを備えて段形状に構成されている
ことを特徴とするアウターミラー。
【請求項２】
前記筒状部の上部に、前記開口を覆う蓋部材を設けたことを特徴とする請求項１に記載のアウターミラー。
【発明の詳細な説明】
【技術分野】
【０００１】
本発明は、自動車の側面に取り付けられるアウターミラーに関する。
【背景技術】
【０００２】
自動車の側面に取り付けられる電動式のアウターミラーは、アウターミラーを回動させる電動格納ユニットと、ミラー部を傾動させるアクチュエータと、電動格納ユニットとアクチュエータとを支持するミラーハウジングとを備えており、電動格納ユニットを駆動させることによって、アウターミラーを使用位置と格納位置とで回動させるようになっている（例えば、特許文献１または特許文献２参照）。
【０００３】
特許文献１のアウターミラーは、ハウジングの下部に駆動ユニット（電動格納ユニット）を収容する部屋を備えており、駆動ユニットをハウジングの下側から挿入してネジで固定するようになっている。
【０００４】
特許文献２のアウターミラーは、アクチュエータと駆動装置（電動格納ユニット）がフレームに一体的に固定されており、このフレームをミラーハウジングに固定することによって、アクチュエータと駆動装置がミラーハウジングに支持されるようになっている。
【特許文献１】特開平７−３２９６４１号公報
【特許文献２】特開２００６−１６８６４８号公報
【発明の開示】
【発明が解決しようとする課題】
【０００５】
しかしながら、特許文献１のアウターミラーでは、駆動ユニットをハウジングの下部から挿入して固定しているので、駆動ユニットにネジを挿通するためのフランジ部を形成したり、ハウジングにフランジ部を収容する段部を設けたりする必要があり、構成が複雑化していた。また、アウターミラーは駆動ユニットを介してミラーベースに取り付けられているので、駆動ユニットのフランジ部の根本部分に応力が集中して、この部分が構造上の弱点になる問題があった。
【０００６】
特許文献２のアウターミラーでは、フレームにアクチュエータと駆動装置を一体的に固定してアウターミラーにかかる応力をフレームで受けることで、アウターミラーの剛性を高めているが、フレームがブロック状に形成されているため、重量が重くなるといった問題があった。
【０００７】
そこで本発明は、前記の問題を解決すべく案出されたものであって、軽量かつ簡単な構成で剛性の高いアウターミラーを提供することを課題とする。
【課題を解決するための手段】
【０００８】
前記課題を解決するために創案された請求項１に係る発明は、自動車の車体の側面に設けられたミラーベースに回動自在に取り付けられるアウターミラーにおいて、アウターミラーを回動させる電動格納ユニットと、ミラー部を傾動させるアクチュエータと、前記電動格納ユニットと前記アクチュエータとを支持するミラーハウジングと、当該ミラーハウジングの前面を覆うカバー部材とを備え、前記ミラーハウジングの前面に、前記電動格納ユニットを収容するための上部が開口した筒状部を前記ミラーハウジングと一体に設け、前記ミラーハウジングにおける前記アクチュエータの固定部分に、前方に突出する箱状部を前記筒状部と隣接して設け、前記箱状部は、前記アクチュエータの収容部分を確保するための収容用箱状部と、収容用箱状部の前側面に形成された補強用箱状部とを備えて段形状に構成されていることを特徴とするアウターミラーである。
【０００９】
前記構成によれば、ミラーハウジングの前面に電動格納ユニットを収容する筒状部を設けたことによって、従来のフレームは設ける必要がなく、軽量かつ簡単な構成で応力がかかる電動格納ユニットの周辺部分の耐力を高めることができる。また、筒状部は上部が開口しており、電動格納ユニットを上方から挿入できるので、電動格納ユニットをミラーハウジングの底面に固定することが可能となり、その結果、構成の簡素化を図ることが可能となる。なお、上部に開口した筒状部は、カバー部材によって覆われるので、外部に露出することはなく、したがって、アウターミラーの美観が損なわれることはない。さらに、アクチュエータの支持部分の耐力を高めることができ、アウターミラー全体の耐力を高めることができる。
【００１０】
請求項２に係る発明は、前記筒状部の上部に、前記開口を覆う蓋部材を設けたことを特徴とする請求項１に記載のアウターミラーである。
【００１１】
前記構成によれば、蓋部材で筒状部の開口部分の変形を抑えることができるので、電動格納ユニットの周辺部分の耐力をさらに高めることができる。さらに、蓋部材を設けることで、耐振動性能を向上させることができ、鏡面の振動を抑えて後方の視認性の低下を防止できるとともに、電動格納ユニットの振動音の発生を防止できる。
【発明の効果】
【００１４】
本発明によれば、軽量かつ簡単な構成で剛性の高いアウターミラーを提供することができるといった優れた効果を発揮する。
【発明を実施するための最良の形態】
【００１５】
次に、本発明に係るアウターミラーを実施するための最良の形態について、添付図面を参照しながら詳細に説明する。なお、本発明に係るアウターミラーの前後方向は、アウターミラーが使用位置にあるときの、車体の前後方向と同じ方向とする。
【００１６】
図１は本実施形態に係るアウターミラーのミラーハウジングを斜め前方上側から見た斜視図、図２は本実施形態に係るアウターミラーのミラーハウジングを前方上側から見た斜視図、図３は本実施形態に係るアウターミラーのミラーハウジングを後方から見た斜視図、図４は本実施形態に係るアウターミラーのミラーハウジングを斜め前方下側から見た斜視図、図５は図１のｖ−ｖ線断面図、図６は図１のｖｉ−ｖｉ線断面図、図７は図１のｖｉｉ−ｖｉｉ線断面図である。
【００１７】
本実施形態に係るアウターミラーは、自動車の車体の側面のサイドドアに付設されるドアミラーであり、車体の側面に設けられたミラーベース（図示せず）に、回動自在に取り付けられている。
【００１８】
図１乃至図４に示すように、アウターミラー１は、アウターミラー１を回動させる電動格納ユニット１０（図２参照）と、後方を写すミラーを備えたミラー部（図示せず）と、このミラー部を傾動させるアクチュエータ２０（図３参照）と、電動格納ユニット１０とアクチュエータ２０とを支持するミラーハウジング３０と、ミラーハウジング３０の前面を覆うカバー部材（図示せず）とを備えている。
【００１９】
電動格納ユニット１０は、アウターミラー１を使用位置と格納位置間で回動させるものであって、ケーシング１１（図２参照）内にシャフト１５（図７参照）と、モータと、ギア機構とを備えている。シャフト１５は上下方向に延びて回転可能に支持されており、モータの駆動によって回動するギア機構によって、電動格納ユニット１０に対して相対的に回動するように構成されている。シャフト１５は、下端部にフランジ１２（図４参照）が形成されており、このフランジ１２の下面には、複数のボス部１３が形成されている。図示しないミラーベースの受け座部分の下方からネジを挿通して、ボス部１３に螺合することで、シャフト１５がミラーベースに固定されるように構成されている。
【００２０】
アクチュエータ２０は、ミラー部を支持するとともに、ミラー部の鏡面の向きを調整する部材である。図３に示すように、アクチュエータ２０は、図示しないホルダを介してミラー部の略中心を傾動可能に支持する支持部２１と、ミラー部の上下方向の向きを調整する第一アクチュエータ２２ａと、左右方向の向きを調整する第二アクチュエータ２２ｂとを備え、これら第一アクチュエータ２２ａ及び第二アクチュエータ２２ｂの出没作動を適宜制御することで、ミラー部の鏡面の向きが調整される。
【００２１】
図１乃至図４に示すように、ミラーハウジング３０は、ミラー部の周囲の枠を構成する枠部３１と、電動格納ユニット１０を支持するとともにアウターミラー１の底面を構成する底板部３２と、アウターミラー１の内部に配置されるとともにアクチュエータを支持する内壁部３３とを備えて構成されている。枠部３１と底板部３２と内壁部３３は、合成樹脂にて一体的に成型されている。ミラーハウジング３０は、基端側（車体側）の電動格納ユニット取付領域３０ａと、先端側のアクチュエータ取付領域３０ｂとに区別することができる。
【００２２】
枠部３１は、図３に示すように、アウターミラー１の後面の周縁部に位置しており、ミラー部を囲むように構成されている。枠部３１は、その内周面がミラー部の外周縁と所定のクリアランスをあけるように形成されており、ミラー部が傾動可能に収容されるように構成されている。図２に示すように、枠部３１の車体側基端部には、枠部３１から連続して前方に延出する内側外壁部３４が形成されており、アウターミラー１の外殻の一部を構成するようになっている。
【００２３】
底板部３２は、図４に示すように、枠部３１の底面から連続して前方に延出して形成されており、その車体側端部近傍には、電動格納ユニット１０のシャフト１５の下端部のフランジ１２を挿通させて外部に露出させるための貫通孔３５が形成されている。貫通孔３５は、図４および図７に示すように、フランジ１２の外径よりも僅かに大きい内径を有している。また、底板部３２の、貫通孔３５の側部には、貫通孔３５の周縁部を補強するための肉厚部３６が形成されている。底板部３２の、貫通孔３５の近傍には、電動格納ユニット１０をミラーハウジング３０に固定するためのネジが螺合するネジ孔３７（図４参照）が二箇所に形成されている。これら貫通孔３５、肉厚部３６およびネジ孔３７は、電動格納ユニット取付領域３０ａに形成されている。なお、ミラーハウジング３０に固定するためのネジが螺合するネジ孔３７は、後記する筒状部３８の前壁面３８ｄにも形成されている。
【００２４】
内壁部３３は、図１乃至図４に示すように、枠部３１の後端面から、ミラー部の収容スペースの厚さ分、前方にオフセットした位置に配置されており、ミラー部とカバー部材で覆われて、外部からは見えないようになっている。内壁部３３のうち、電動格納ユニット取付領域３０ａに位置する内壁部３３ａは、底板部３２の上面から上方に延出して形成されている。電動格納ユニット取付領域３０ａの内壁部３３ａの前面には、電動格納ユニット１０を収容するための筒状部３８が形成されている。
【００２５】
筒状部３８は、図１および図２に示すように、電動格納ユニット１０を覆うように、断面が略長方形を呈しており、電動格納ユニット取付領域３０ａの内壁部３３ａの下側一部が、筒状部３８の後壁面３８ａを構成している。この内壁部３３ａの前面には、前方に延びる筒状部３８の側壁面３８ｂ，３８ｃが形成され、これら側壁面３８ｂ，３８ｃの前端に筒状部３８の前壁面３８ｄが形成されている。側壁面３８ｂ，３８ｃおよび前壁面３８ｄは、後壁面３８ａ（電動格納ユニット取付領域３０ａの内壁部３３）と同様に、底板部３２の上面から上方に延出して形成されている。側壁面３８ｂ，３８ｃおよび前壁面３８ｄは、電動格納ユニット１０の全体を覆う高さまでに延出しており、筒状部３８の上部が開口されている。筒状部３８の開口部には、図７に示すように、蓋部材４７（図７の他の図では図示略）が設けられている。蓋部材４７は、筒状部３８の断面の内周形状と同様の外周形状を有しており、筒状部３８の内部に嵌合して固定されている。なお、蓋部材４７の固定は、嵌合に限定されるものではなく、ネジ止め等、他の方法であってもよい。
【００２６】
筒状部３８は、底板部３２の貫通孔３５およびネジ孔３７を取り囲むように配置されている。筒状部３８の外側に位置する側壁面３８ｃは、基端側（車体側）の電動格納ユニット取付領域３０ａと、先端側のアクチュエータ取付領域３０ｂとの境界ラインとなる。筒状部３８には、各壁面３８ａ，３８ｂ，３８ｃ，３８ｄが電動格納ユニット１０の外周面形状に追従して係止するように、適宜凸部３９ａや面取り部３９ｂ（図２参照）が形成されている。
なお、本実施形態では、筒状部３８は、断面略長方形に形成されているが、その形状はこれに限定されるものではなく、例えば、断面円形や楕円形や多角形等、他の形状であってもよい。また、本実施形態では、筒状部３８の高さは、電動格納ユニット１０の全体を覆う高さとなっているがこれに限定されるものではなく、例えば、電動格納ユニットの上半分が露出する高さであってもよいし、カバー部材の内面近傍まで延出した高さであってもよい。但し、筒状部３８の高さは、高い方が、剛性が高くなるので好ましい。
【００２７】
なお、ミラーハウジング３０に電動格納ユニット１０を固定するに際しては、筒状部３８の上側から電動格納ユニット１０を挿入し、底板部３２の下側および筒状部３８の側面に形成されたネジ孔３７，３７，３７を介してネジを挿通させて、電動格納ユニット１０の底面に設けられた図示しないネジ孔に螺合させる。その後、蓋部材４７を筒状部３８の上部開口に装着する。
【００２８】
図１および図２に示すように、内壁部３３のうち、アクチュエータ取付領域３０ｂに位置する内壁部３３ｂ（アクチュエータの固定部分）には、前方に突出する箱状部４１が筒状部３８と隣接して設けられている。箱状部４１は、アクチュエータ２０の収容部分を確保するための収容用箱状部４３と、収容用箱状部４３の底面（前側面）に形成された補強用箱状部４４とを備えて構成されている。なお、アクチュエータ取付領域３０ｂに位置する内壁部３３ｂは、図６に示すように、下端部が後方に折曲して水平板部３３ｃを構成して、底板部３２の後端に繋がるように構成されている。
【００２９】
収容用箱状部４３は、図３、図５および図６に示すように、後方が開口した箱状に形成されている。収容用箱状部４３は、アクチュエータ２０の投影面積よりも大きい開口面積で形成され、かつアクチュエータ２０の厚さ寸法の半分程度の深さに形成されており、アクチュエータ２０の前方部分を収容するように構成されている。
【００３０】
補強用箱状部４４は、図１、図２、図５および図６に示すように、収容用箱状部４３の底面（前側面）に後方が開口した箱状に形成されている。補強用箱状部４４は、収容用箱状部４３の開口面積よりも小さい開口面積で形成されており、底面４５ａ（前側面）とその周壁面４５ｂとで、ミラー部やアクチュエータ２０等の荷重を受けて、ミラーハウジング３０にかかるねじれ等の応力に対する耐力を高めるように構成されている。特に、本実施形態では、上下方向に長い第一補強用箱状部４４ａと、水平方向に長い第二補強用箱状部４４ｂとを重ねて形成しているので、各周壁面４５ｂが互いに交差して形成されることとなり、アクチュエータの固定部分の耐力がさらに高められている。
【００３１】
収容用箱状部４３と補強用箱状部４４は、筒状部３８の外側に位置する側壁面３８ｃから延出して形成されており、筒状部３８の側壁面３８ｃが、箱状部４１の内側の壁面と共用されている。これによって、上下方向に延びる筒状部３８と、水平方向に長い第二補強用箱状部４４ｂとが隣接して繋がるので、ミラーハウジング３０の全体としての耐力がさらに高められる。
【００３２】
箱状部４１の底面には、所定の位置（本実施形態では図３に示すアクチュエータ２０のネジ孔位置に対応する３箇所）に、ネジ孔を有するボス部４６（図５および図６参照）が後方に延出して形成されており、アクチュエータ２０およびミラー部の荷重は、箱状部４１の底面に伝わるように構成されている。
【００３３】
以上のような構成のアウターミラー１によれば、筒状部３８を構成する各壁面３８ａ，３８ｂ，３８ｃ，３８ｄが互いに支持しあうとともに、ミラーハウジング３０にかかる応力を分担して受けるので、ミラーハウジング３０の耐力を高めることができる。また、本実施形態によれば、特許文献２に示すようなフレームを設けることなくミラーハウジング３０の耐力を高められるので、アウターミラー１全体の軽量化を達成できるとともに、部品点数の低減を図れる。
【００３４】
また、筒状部３８の上部開口に蓋部材４７（図７参照）を装着したことによって、蓋部材４７で筒状部３８の開口部分の剛性を高めることができるので、電動格納ユニット取付領域３０ａの耐力をさらに高めることができる。さらに、蓋部材４７を設けたことで、ミラーハウジング３０の耐振動性能を向上させることができ、鏡面の振動を抑えて後方の視認性の低下を防止できるとともに、電動格納ユニット１０の振動音による騒音発生を防止できる。
【００３５】
さらに、電動格納ユニット１０は、筒状部３８の上部開口から挿入して、ミラーハウジング３０の底板部３２に載置して固定することができる。これによって、従来のように、電動格納ユニットの取付けのための段部（ミラーハウジング）やフランジ（電動格納ユニット）を設ける必要がないので、その分、構成を簡素化することができ、設置スペースおよび加工手間を低減することができるとともに、局所的に応力が集中することを防止できる。また、本実施形態では、ミラーハウジング３０の前面にカバー部材を装着するので、筒状部３８の上部を開口させることができ、その上方から電動格納ユニット１０を挿入して固定作業を容易に行うことができる。
【００３６】
一方、ミラーハウジング３０におけるアクチュエータ２０の固定部分に、前方に突出する箱状部４１を設けたによって、アクチュエータ取付領域３０ｂに位置する内壁部３３ｂの耐力を高めることができ、アウターミラー１全体の耐力を高めることができる。さらに、箱状部４１と筒状部３８とが、その境界ラインである側壁面３８ｃを共有して、筒状部３８と隣接して一体的に形成されているので、ミラーハウジング３０の全体としての耐力がさらに高められる。特に、本実施形態では、上下方向に延びる筒状部３８と、水平方向に長い第二補強用箱状部４４ｂとが隣接して繋がるので、ミラーハウジング３０の全体としての耐力がさらに高められている。
【００３７】
箱状部４１は、収容用箱状部４３を有しており、アクチュエータ２０の前方部分を収容するように構成されているので、アクチュエータ２０の設置スペースを、側方から見て、内壁部３３から後方にオフセットすることができる。これによって、前後方向において、アクチュエータ２０の設置スペースと、内壁部３３の前方に位置する電動格納ユニット１０の設置スペースとを重合させることができ、アウターミラー１の前後長を短縮することができる。
【００３８】
以上、本発明を実施するための形態について説明したが、本発明は前記実施の形態に限定されず、本発明の趣旨を逸脱しない範囲で適宜設計変更が可能である。例えば、前記実施の形態では、電動格納ユニット１０とアクチュエータ２０を備えたアウターミラー１を例に挙げて説明したが、その他に、ターンランプやカメラ等の他の機器を搭載するアウターミラーであってもよい。この場合、他の機器の設置部分に、箱状部あるいは筒状部を形成することによって、従来のような取付用のフレームを設けることなく、耐力を高めることができる。
【図面の簡単な説明】
【００３９】
【図１】本実施形態に係るアウターミラーのミラーハウジングを斜め前方上側から見た斜視図である。
【図２】本実施形態に係るアウターミラーのミラーハウジングを前方上側から見た斜視図である。
【図３】本実施形態に係るアウターミラーのミラーハウジングを後方から見た斜視図である。
【図４】本実施形態に係るアウターミラーのミラーハウジングを斜め前方下側から見た斜視図である。
【図５】図１のｖ−ｖ線断面図である。
【図６】図１のｖｉ−ｖｉ線断面図である。
【図７】図１のｖｉｉ−ｖｉｉ線断面図である。
【符号の説明】
【００４０】
１      アウターミラー
１０    電動格納ユニット
２０    アクチュエータ
３０    ミラーハウジング
３８    筒状部
４１    箱状部
４７    蓋部材
【図１】
0005005618.tif 000002
【図２】
0005005618.tif 000003
【図３】
0005005618.tif 000004
【図４】
0005005618.tif 000005
【図５】
0005005618.tif 000006
【図６】
0005005618.tif 000007
【図７】
0005005618.tif 000008